【手続補正書】
【提出日】平成17年7月8日(2005.7.8)
【手続補正１】
【補正対象書類名】明細書
【補正対象項目名】全文
【補正方法】変更
【補正の内容】
【書類名】明細書
【発明の名称】テストハンマー用検定器
【特許請求の範囲】
【請求項１】検定用打撃体を打撃したその反発力からコンクリート等の圧縮強度を測定するテストハンマーの測定精度を確認するテストハンマー用検定器であって、
前記検定用打撃体は、アンビルと、アンビル上に配置された緩衝材と、この緩衝材上に重ねて配置され前記テストハンマーによって直接的に打撃されるプランジャー受部材とを備えることを特徴とするテストハンマー用検定器。
【請求項２】前記検定用打撃体が、反発値３０〜５０の範囲の検定を行うものである請求項１記載のテストハンマー用検定器。
【請求項３】前記プランジャー受部材のプランジャーを受ける面が、プランジャー先端の形状に対応した形状に形成されている請求項１記載のテストハンマー用検定器。
【請求項４】前記緩衝材が、布を天然ゴムで挟んだものである請求項１記載のテストハンマー用検定器。
【請求項５】前記プランジャーを受ける面に対して垂直になるようにアンビル上に立設された底部壁の中心部に開口が形成されたガイド筒部と、
このガイド筒部にそれぞれ固定され、プランジャー受部材に対し近接した奥側位置に設けられた第１ガイドリングと、該位置と反対側である手前側位置に設けられた第２ガイドリングを有し、かつ、前記第１ガイドリング及び第２ガイドリングの両者は、前記テストハンマーのプランジャーを正しい方向に位置決めのため、テストハンマーの外周部が合致する内面形状を有し、第２ガイドリングはテストハンマーの先細部分を有する先端側外周部に合致し、前記開口内にプランジャーが嵌るようにした請求項１〜４の何れか１項に記載のテストハンマー用検定器。
【請求項６】前記第１ガイドリングが、前記プランジャー受部材との間に、トリガーポイントがゼロ値に調整されたテストハンマーの打撃開始時のプランジャーの長さと同じ長さの間隔をもって配置され、当該テストハンマーの外周面と前記第２ガイドリングの内面とが合致したときに打撃が行われる請求項５記載のテストハンマー用検定器。
【請求項７】ガイド筒部の両側に窓がそれぞれ形成されている請求項５または６記載のテストハンマー用検定器。
【請求項８】ガイド筒部は金属製であり、第１ガイドリング及び第２ガイドリングの両者はプラスチック成形品であり、第１ガイドリング及び第２ガイドリングの両者はネジによりガイド筒部に固定されている請求項５〜７の何れか１項に記載のテストハンマー用検定器。
【発明の詳細な説明】
【０００１】
【発明の属する技術分野】
本発明は、コンクリート等の圧縮強度を計測するテストハンマーの測定精度を確認するためのテストハンマー用検定器に関する。
【０００２】
【従来の技術】
従来、コンクリートの圧縮強度を測定するものとしてシュミットハンマー（商品名）と呼ばれているテストハンマーが普及している。この種のテストハンマーは、非破壊式であり、しかもコンパクトで現場での測定も容易であるという種々の利点を備えているものである。
【０００３】
このようなテストハンマーにおいて、経時使用等により、測定精度にずれが生ずることがある。よって、テストハンマーを使用する前に、その精度を確認することが要求されていた。このテストハンマーの精度を確認するのに、テストアンビルと称される検定器が使用され、特にＩＳＯ９０００で認定されている事業所ではテストアンビルによる検定が義務付けられている。そして、検定結果によってテストハンマーの補正や部品交換が行われている。
【０００４】
【発明が解決しようとする課題】
しかしながら、従来のテストアンビルは、ある程度の質量を有する金属製のアンビルをテストハンマーで直接打撃して検定を行う構成であったため、反発値６０〜８０程度の高い反発値でしか検定しか行うことができず、コンクリート等の反発値３０〜５０における検定を行うことができなかった。反発値８０で検定をおこなったテストハンマーを用いても、コンクリート等の低反発値の対象物の測定も可能であるがその測定精度には疑問が残る。
【０００５】
また、従来のテストアンビルは、アンビルの質量の大小により検定すべき反発値が定められているため、検定しようとする反発値毎に、それぞれに対応するテストアンビルを用意する必要があった。しかも、反発値６０以下の検定を行うテストアンビルは、アンビルの質量が小さいために設置場所による測定値の影響を受けやすく設置に非常に気を使う必要があった。
【０００６】
そこで、本発明の主たる課題は、上記の従来の事情に鑑み、簡易に異なる反発値の検定を行うことができ、また、設置場所に気を使う必要が少なく、特には、例えば、コンクリート等の反発値に該当する反発値Ｒ３０〜５０程度の低い反発値での検定が可能であるテストハンマー用検定器を提供することにある。
【０００７】
なお、本明細書中にいう反発値とは、テストハンマーによって測定される値をいい、反発度あるいはＲ値などといわれることもある。
【０００８】
【課題を解決するための手段】
上記課題を解決した請求項１記載の発明は、
検定用打撃体を打撃したその反発力からコンクリート等の圧縮強度を測定するテストハンマーの測定精度を確認するテストハンマー用検定器であって、
前記検定用打撃体は、アンビルと、アンビル上に配置された緩衝材と、この緩衝材上に重ねて配置され前記テストハンマーによって直接的に打撃されるプランジャー受部材とを備えることを特徴とするテストハンマー用検定器である。
【０００９】
請求項２記載の発明は、前記検定用打撃体が、反発値３０〜５０の範囲の検定を行うものである請求項１記載のテストハンマー用検定器。
【００１０】
請求項３記載の発明は、前記プランジャー受部材のプランジャーを受ける面が、プランジャー先端の形状に対応した形状に形成されている請求項１記載のテストハンマー用検定器である。
【００１１】
請求項４記載の発明は、前記緩衝材が、布を天然ゴムで挟んだものである請求項１記載のテストハンマー用検定器である。
【００１２】
請求項５記載の発明は、前記プランジャーを受ける面に対して垂直になるようにアンビル上に立設された底部壁の中心部に開口が形成されたガイド筒部と、
このガイド筒部にそれぞれ固定され、プランジャー受部材に対し近接した奥側位置に設けられた第１ガイドリングと、該位置と反対側である手前側位置に設けられた第２ガイドリングを有し、かつ、前記第１ガイドリング及び第２ガイドリングの両者は、前記テストハンマーのプランジャーを正しい方向に位置決めのため、テストハンマーの外周部が合致する内面形状を有し、第２ガイドリングはテストハンマーの先細部分を有する先端側外周部に合致し、前記開口内にプランジャーが嵌るようにした請求項１〜４の何れか１項に記載のテストハンマー用検定器である。
【００１３】
請求項６記載の発明は、前記第１ガイドリングが、前記プランジャー受部材との間に、トリガーポイントがゼロ値に調整されたテストハンマーの打撃開始時のプランジャーの長さと同じ長さの間隔をもって配置され、当該テストハンマーの外周面と前記第２ガイドリングの内面とが合致したときに打撃が行われる請求項５記載のテストハンマー用検定器。
【００１４】
請求項７記載の発明は、ガイド筒部の両側に窓がそれぞれ形成されている請求項５または６記載のテストハンマー用検定器である。
【００１５】
請求項８記載の発明は、ガイド筒部は金属製であり、第１ガイドリング及び第２ガイドリングの両者はプラスチック成形品であり、第１ガイドリング及び第２ガイドリングの両者はネジによりガイド筒部に固定されている請求項５〜７の何れか１項に記載のテストハンマー用検定器である。
【００１６】
【発明の実施の形態】
本発明の実施の形態を図面を参照しながら以下に詳述する。図１は、本発明に係るテストハンマー用検定器の断面図である。図２は、本発明に係るテストハンマー用検定器の検定用打撃体の断面図である。
【００１７】
図１および２中の符号１は検定用打撃体であり。例えば鉄等の金属塊を円筒状に形成してなるアンビル１ａと、このアンビル上に配置される前記アンビル１ａの反発値よりも低い反発値の緩衝材１ｂと、この緩衝材１ｂ上に重ねて配置されるテストハンマー１０の打撃部であるプランジャー１１によって直接打撃される金属製のプランジャー受部材１ｃとで構成されている。
【００１８】
このように、アンビル１ａ、緩衝材１ｂ、プランジャー受部材１ｃの順で配置することにより、プランジャー１１が前記プランジャー受部材１ｃを打撃したさいに、その打撃力が前記緩衝材１ｂによって緩和され、アンビル１ａを直接打撃するよりも低い反発値が測定される。すなわち、低反発値での検定が可能となる。
【００１９】
また、図示例のテストハンマー用検定器１は、前記緩衝材１ｂおよびプランジャー受部材１ｃが、前記アンビル１ａ上面に彫られた嵌め込み部１Ａに嵌め込まれるようにして配置されている。このように嵌め込み配置することで、アンビル１ａ、緩衝材１ｂ、プランジャー受部材１ｃをそれぞれ接着しなくとも、検定時のテストハンマー１０の打撃によって、アンビル１ａと前記緩衝材１ｂおよびプランジャー受部材１ｃとがずれることがなくなる。また、プランジャー１１の先端形状に応じて、簡易にプランジャー受部材１ｃを交換して検定することが可能となり、各部の消耗具合にあわせて消耗した部材のみを簡易に交換することが可能となる。また、設置場所に気を使う必要のない比較的大きな質量のアンビル１ａを一つ用意して、緩衝材１ｂやプランジャー受部材１ｃを適宜交換して、所望の反発値の検定を行うということも可能となる。
【００２０】
前記緩衝材１ｂの材質や寸法等の構成については、所望の反発値、すなわち検定しようとする反発値に応じて適当な材質および寸法を選定すればよく、本発明においては必ずしも限定されるものではない。緩衝材１ｂの具体例としては、例えば、天然ゴム、合成ゴム、あるいは布を天然ゴムで挟み込んだ構造の緩衝材が挙げられる。
【００２１】
他方、本発明においては、前記プランジャー受部材１ｃのプランジャー１１によって直接的に打撃される面（以下、測定面とも記載）は、前記プランジャー１１の先端形状に対応する形状に加工するのが望ましい。例えば、図示例のように検定を行うべきテストハンマー１０のプランジャー１１の先端が球面状に形成されている場合には、プランジャー受部材１ｃの測定面を前記プランジャー１１先端にフィットするような凹曲面部１Ｃを形成する。このようにすると、従来のテストアンビルのように平面に形成するよりも、測定面に加工効果が生じずらく、プランジャーあるいはプランジャー受部材の寿命が長くなる。なお、プランジャー受部材を熱処理等して強度を高めることも可能であるが、材料費、熱処理費、加工費などを考慮すると全体的なコストを考慮すると、プランジャーの先端形状に対応するように測定面を形成したほうが、安価に検定精度と耐久性を高められる。
【００２２】
他方、図１中の符号２は、案内手段としての円筒のコップ状に形成されたガイド筒部であり、ガイド筒部２は前記アンビル１ａに固定されている。このガイド筒部２は、両側に窓２ａ，２ａを有し、金属で作られているとともに、底部に前記プランジャー１１が前記プランジャー受部材１ｃを打撃できるように開口３が形成されている。前記案内手段は上記ガイド筒部２内に装着されるリング状に形成された第１ガイドリング４および第２ガイドリング５とを有し、これらガイドリング４，５はガイド筒部２にネジ等で固定されている。第１ガイドリング４は、ガイド筒部２の奥側、すなわちアンビル１ａに近接した位置に配置され、第２ガイドリング５はガイド筒部２の手前側、すなわち入口側に配置されている。
【００２３】
第１ガイドリング４は、テストハンマー１０の先端側、すなわち図示のように先細部分を有する先端側外周部が合致する断面形状に形成され、また、第２ガイドリング５はテストハンマー１０を挿入したときにその外周が合致する内径を有している。なお、第１および第２ガイドリング４，５はその所定の形状を得るのに好都合なプラスチックの成形品としている。
【００２４】
このように構成されたテストハンマー用検定器は、案内手段がガイド筒部２と第１ガイドリング４および第２ガイドリング５から構成されているので、テストハンマー１０をガイド筒部２に挿入するだけで、テストハンマー１０をプランジャー受部材１ｃに対して正しい方向、すなわちプランジャー１１の打撃方向をプランジャー受部材１ｃの測定面に対して直角になる方向に位置決めすることができる。よって、打撃方向のずれによる検定時の操作ミスを確実に防止することができる。
【００２５】
他方、前記第１ガイドリング４は、前記プランジャー受部材１ｃとの間に、トリガーポイントがゼロ値に調整されたテストハンマーの打撃開始時のプランジャー１１の長さと同じ長さの間隔をもって配置されている。テストハンマーの構造上、トリガーポイントのゼロ値が調整されずにずれているテストハンマーは、正確なゼロ値調整が行われているテストハンマーと比較して、打撃開始時におけるプランジャー長が長いかあるいは短い。従って、上記のように第２ガイドリング４を設けることで、第２ガイドリング４とテストハンマー１０とが合致しない状態で打撃が行われない場合あるいは合致しても打撃が行われない場合には、テストハンマーのゼロ値がずれていることが確認できる。これにより、簡易に検定の精度が高められる。
【００２６】
なお、上記実施形態では２つのガイドリング４，５を設けている。ガイドリングを１つにした場合、そのガイドリングはガイド筒部２内の全域に渡るような大きさのものになるが、このように構成すると材料費や加工費が嵩む。さらに、１つのガイドリングはその内周面側の全領域において高い寸法精度が要求され、高価なものとなるので、上記実施形態より劣ることは明らかである。よって、上記実施形態のガイドリング４、５は奥側と手前側の２個所に分けて配置しているので、必要最小限の大きさで、良好な検定精度が得られ、部品自体も小さくなるので加工し易く安価にて提供することができる。
【００２７】
＜実施例＞
本発明にかかるテストハンマー用検定器を用いてテストハンマーの検定をおこなった。本実施例に使用したテストハンマー用検定器は図２に示すものである。テストハンマーは、一般的なコンクリート用テストハンマー（シュミットハンマー：ＮＲ型［普通コンクリート用］；スイスＰｒｏｃｅｑ社製）を用いた。検定用打撃体は、従来の反発値８０の検定を行うテストアンビルのアンビル部分（直径１３５Φ×高さ１２０ｍｍ，重量１３ｋｇ）の上面中心部に円筒形の嵌め込み部（直径３２Φ×深さ９ｍｍ）を形成し、この嵌め込み部に、天然ゴム（ＮＲ６０３Ｔｙｐｅ［日東化学工業社製］）で木綿布を挟み込んだ三層構造の緩衝材を嵌め込み、さらにその上に重ねてテストアンビルと同素材の金属を切削加工して形成したプランジャー受部材を嵌め込んで形成した。
【００２８】
緩衝材およびプランジャー受部材は厚さの異なる二種を用意し、それぞれ組み合わせて測定を行った。使用した緩衝材およびプランジャーの寸法は下記のとおりである。ここで、プランシャー受部材の直径よりも緩衝材の直径が小さいのは打撃時に緩衝材の変形を許すためである。また、プランジャー受部材の測定面側には凹曲面部が形成されているが、この凹曲面部の高さはプランジャー受部材の厚さには加算されていない。
緩衝材Ａ：直径３１ｍΦ×厚さ４ｍ＋０.２ｍｍ
緩衝材Ｂ：直径３１ｍｍΦ×厚さ４ｍ−０.２
プランジャー受部材Ｃ：３２ｍｍΦ×厚さ５ｍｍ＋０.０５ｍｍ
プランジャー受部材Ｄ：３２ｍｍΦ×厚さ５ｍｍ−０.４ｍｍ
測定の結果を表１に示す。
【００２９】
【表１】
2004053273.tif 000001
【００３０】
表１より、従来の反発値８０の検定に使用されていたてストアンビルのアンビルとほぼ同様であっても、反発値３５〜５０の検定が可能であることが確認できる。また、同じアンビルを用いても、緩衝材およびプランジャー受部材を交換することで、異なる反発値の検定が可能であることも確認できる。
【００３１】
【発明の効果】
以上詳述のとおり、本発明によれば、反発値３０〜５０程度の低い反発値でテストハンマーの検定を行うことが可能となる。
【図面の簡単な説明】
【図１】
本発明の実施の形態に係るテストハンマー用検定器を示すものである。
【図２】
本発明に係るテストハンマー用検定器の検定用打撃部体の断面図である。
【符号の説明】
１…検定用打撃体、１ａ…アンビル、１ｂ…緩衝材、１ｃ…プランジャー受部材、２…ガイド筒部、２ａ…窓、４…第１ガイドリング、５…第２ガイドリング、１０…テストハンマー。